(57)【特許請求の範囲】
【請求項１】
回転軸を一体的に回転するように外ケース内に軸装したクラッチパイプに大径部と小径部を設け、この小径部に上記大径部の径と同径となるボスを回動自在に軸装し、このボスを外ケース内に僅かな角度範囲内で回動可能にしておき、このボスとクラッチパイプの外周に巻き付け力を付与した巻きバネを巻き付け、その一端をボスに係止し、他端をフリーにして折り曲げ起立させる一方、外ケース内に制御カムを回転軸の軸方向に変位可能に設け、この制御カムに上記巻きバネの起立他端と係止して回転軸の正回転及び逆回転並びに回転不能ロック状態とする各係止部を設け、この制御カムの正回転係止部と巻きバネの起立他端との係合位置で巻きバネを緩めて回転軸を正回転可能とし、同じく制御カムの逆回転係止部と巻きバネの起立他端との係合位置で巻きバネを緩めて回転軸を逆回転可能とし、さらに制御カムの回転不能ロック係止部と巻きバネの起立他端との係合位置で巻きバネを締め付け、回転軸を回転不能ロック状態にするようにしてあり、この回転不能ロック状態において回転軸に逆回転方向の力を付与すると巻きバネの起立他端が制御カムの回転不能ロック係止部から正回転係止部に移動して正回転可能状態になり、この正回転可能状態において回転軸の正回転方向回転を止めると巻きバネの抵抗で停止状態を維持し、この停止状態において回転軸に逆回転方向の力を付与すると巻きバネの起立他端が制御カムの正回転係止部から逆回転係止部に移動して逆回転可能状態になり、この逆回転可能状態において回転軸の逆回転方向回転を止めると巻きバネの起立他端が制御カムの逆回転係止部から回転不能ロック係止部に移動して回転不能ロック状態になるようにした回転駆動装置。
【請求項２】
上記制御カムを平行四辺形形状凹部によって構成し、該凹部の一隅部を逆回転係止部とし、反対側の隅部を回転不能ロック係止部とし、この平行四辺形形状凹部の中央位置に鉤型突起部を設け、この鉤型突起部を正回転係止部としてある上記請求項１に記載の回転駆動装置。
【発明の詳細な説明】
【０００１】
【発明の属する技術分野】
本発明は、例えば上下方向に開閉する吊下げカーテンの巻取り軸の回転駆動装置、あるいは扉のヒンジ軸、上開き窓のヒンジ軸またはパソコン等電子機器類の開閉蓋のヒンジ軸等の回転駆動装置に関する。
【０００２】
【従来の技術】
吊下げカーテンの巻取り駆動軸に用いられる回転駆動装置は、カーテンを引き下げる際には回転自在にしてあり、しかも任意の位置で回転を停止し、カーテンを巻上げる際には巻取り駆動軸に巻取り方向の回転力が付与されていて、上記停止を解除すれば自動的に巻き取られるようにしてある。
一方、パソコン等電子機器の開閉蓋ヒンジ部の回動軸に用いられる回転駆動装置にあっても、任意の位置で開閉蓋が停止できるような構造となっている。
これら任意の位置で停止できる回転駆動装置は、その用途ごとに各別の構造からなる装置が組み込まれている。
【０００３】
一方、回転駆動装置を任意の位置で停止でき、この停止を解除すると回転自在となるスプリングクラッチが知られている。
このスプリングクラッチは、回転軸を一体的に回転するように外ケース内に軸装したクラッチパイプに大径部と小径部を設け、この小径部に上記大径部の径と同径となるボスを回動自在に軸装し、このボスを外ケース内に僅かな角度範囲内で回動可能にしておき、このボスとクラッチパイプの外周に巻きバネを巻き付け、その一端をボスに係止し、他端をフリーにして、この他端を巻きバネの締め付け方向に移動定置させて回動軸が回転しないようにロック状態とし、上記巻きバネの他端を巻きバネの緩み方向に変位させて回転軸が回転自在になるようにしたものである。
【０００４】
【発明が解決しようとする課題】
上記したように種々の用途に使用される任意の位置で停止できる回転駆動装置は、それぞれ使用される用途毎に各別の構造となっていた。従って用途毎に各別の回転駆動装置を生産しなければならず、少量しか生産しないものは、コスト高になってしまうという課題がある。
一方、上記したスプリングクラッチを使用すれば、種々の用途、即ち、吊下げカーテン、電子機器の開閉蓋だけでなく、開閉扉、開閉窓のヒンジ部に共通して使用できる構造の回転駆動装置を提供できることに気が付いた。
本発明は、この点に鑑み、種々の用途に共通して提供できる新規な回転駆動装置を提供することを目的とするものである。
【０００５】
【課題を解決するための手段】
そのために、本発明回転駆動装置は、回転軸を一体的に回転するように外ケース内に軸装したクラッチパイプに大径部と小径部を設け、この小径部に上記大径部の径と同径となるボスを回動自在に軸装し、このボスを外ケース内に僅かな角度範囲内で回動可能にしておき、このボスとクラッチパイプの外周に巻きバネを巻き付け、その一端をボスに係止し、他端をフリーにして折り曲げ起立させる一方、外ケース内に制御カムを回転軸の軸方向に変位可能に設け、この制御カムに上記巻きバネの起立他端と係止して回転軸の正回転及び逆回転並びに回転不能ロック状態とする各係止部を設け、この制御カムの正回転係止部と巻きバネの起立他端との係合位置で巻きバネを緩めて回転軸を正回転可能とし、同じく制御カムの逆回転係止部と巻きバネの起立他端との係合位置で巻きバネを緩めて回転軸を逆回転可能とし、さらに制御カムの回転不能ロック係止部と巻きバネの起立他端との係合位置で巻きバネを締め付け、回転軸を回転不能ロック状態にするようにしてある。
【０００６】
また、上記制御カムを概略平行四辺形形状凹部によって構成し、該凹部の一隅部を逆回転係止部とし、反対側の隅部を回転不能ロック係止部とし、この概略平行四辺形形状凹部の中央位置に鉤型突起部を設け、この鉤型突起部を正回転係止部としてある。
【０００７】
【発明の実施の形態】
以下図面に示した一実施例により本発明装置の詳細を説明する。図面には吊下げカーテンの巻取り駆動軸回転駆動装置に使用した実施例を示してある。図中符号１が吊下げカーテンの巻取り駆動軸となる回転軸で、この回転軸１には吊下げカーテンの巻上げ方向回転力が図示しない公知の捩りバネによって付勢されている。実施例に示した巻取り駆動軸となる回転軸１は断面六角形状の棒により構成してあり、後述するスプリングクラッチのクラッチパイプの中心六角孔に嵌め合わせて、クラッチパイプと一体的に回転するようにしてある。この回転軸１はクラッチパイプと一体的に回転できれば、他の角棒でも丸棒でもよい。
【０００８】
図中２がスプリングクラッチで、そのクラッチパイプ３の中心嵌合孔４に回転軸１を嵌め合わせてある。従って図示した実施例ではクラッチパイプ３の中心嵌合孔４を六角孔としてある。このクラッチパイプ３は巻きバネを巻き付ける大径部５とこの大径部５より小径の小径部６を有し、この小径部６に上記大径部５の径と同系となるボス７を回動自在に軸装してある。
【０００９】
図中符号８が巻きバネで、その一端９をボス７に係止し、他端１０をフリーにして折り曲げ起立させてある。そしてこの巻きバネ８をボス７に巻き付ける部分とクラッチパイプ３に巻き付ける部分とを密に巻き付けてあり、ボス７とクラッチパイプ３の境界部分に相当する部分を疎にしてあり、巻きバネ８がボス７とクラッチパイプ３の境界部分に食い込まないようにしてある。上記巻きバネ８の一端９のボス７への係止構造は、ボス７に段差大径部１１を設け、その一部に係止孔１２を形成し、この係止孔１２に一端９を係止させてある。一方、クラッチパイプ３の端に段差大径部１３を設け、この段差大径部１３の段差部に巻きバネ８の他端を当接させてある。上記ボス７の一端にはコントロールリング１４をボス７と一体的に回動するように嵌め合わせてあり、このコントロールリング１４にコントロール突起１５を突設してある。
【００１０】
上記した構造からなるスプリングクラッチ２は、両端に嵌め合わせたカラー１６，１６を介して外ケース１７内にクラッチパイプ３及び回転軸１を回転自在に軸装してある。外ケース１７は、クラッチパイプ３側のケース１７Ａとボス７側のケース１７Ｂに上記コントロール突起１５を受け入れ、このコントロール突起１５の移動範囲を規制する移動許容部１８を設けてある。この移動許容部１８は、ケース１７Ｂに該コントロール突起１５の移動を停止するストッパー１９，１９を設けて形成してあり、その範囲は回転軸１の回転中心を中心とした概略９０度の角度位置にある。
【００１１】
一方、ケース１７Ａ内には上記巻きバネ８の起立他端１０と協働して回転軸１の軸方向に変位可能にして制御カム２０を設けてある。そのためケース１７Ａ内の前後壁の内側に水平のガイド２１，２１を設け、このガイド２１，２１上に制御カム２０を載せて案内するようにしてある。制御カム２０は、上記巻きバネ８の起立他端１０を受容する概略平行四辺形形状凹部２２によって構成し、その巻きバネ８方向壁に上記巻きバネ８の起立他端１０の通過透孔２３を形成してあり、装置全体を組立て、分解する際に、先ず制御カム２０をケース１７Ａ内に組み入れておき、その後にスプリングクラッチ２を組み入れる際に、巻きバネ８の起立他端１０をこの通過透孔２３を通して制御カム２０の概略平行四辺形形状凹部２２内に受容するようにしてある。
【００１２】
そして、この概略平行四辺形形状凹部２２に上記巻きバネ８の起立他端１０と係止して回転軸１の正回転及び逆回転並びに回転不能ロック状態とする各係止部を設けてある。即ち、巻きバネ８を最も緩めて回転軸１を図示しない捩りバネのカーテン巻き取り方向に逆回転させる概略平行四辺形形状凹部２２の一隅部に逆回転係止部２４を位置付けてあり、この逆回転係止部２４の反対側の隅部に巻きバネ８を締め付けて回転軸１を回転不能とする回転不能ロック係止部を位置付けてあり、さらにこの概略平行四辺形形状凹部２２の中央位置に鉤型突起部２７を設け、この鉤型突起部２７を正回転係止部２６としてある。
【００１３】
上記した通りスプリングクラッチ２は外ケース１７内に収容してあり、この外ケース１７はケース１７Ａとケース１７Ｂを組み合わせてあり、図５及び図１０に示す４本のネジ２８によって一体に固定してある。そして、この本発明回転駆動装置を組み込む際には、上記ケース１７Ａと１７Ｂを分離しておき、ケース１７Ａ内に制御カム２０をガイド２１，２１上にこのガイドに沿って摺動可能に収め、次いで回転軸１を嵌合したスプリングクラッチ２の両端にカラー１６，１６を嵌め、ケース１７Ａ側の受け孔２９内にクラッチパイプ３側のカラー１６を嵌め、この際巻きバネ８の起立他端１０を制御カム２０の通過透孔２３から制御カム２０の概略平行四辺形形状凹部２２内に収め、その後、ボス７側のカラー１６をケース１７Ｂの受け孔３０に嵌め、４本のネジ２８によってケース１７Ａと１７Ｂとを一体に組み込めばよい。
【００１４】
このようにして組み立てられた本発明回転駆動装置において、巻きバネ８がその巻き方向に締め付けると、ボス７に嵌合させたコントロールリング１４のコントロール突起１５が図５の右側のストッパー１９に係合し、ボス７の回転を停止するとともにクラッチパイプ３が巻きバネ８によって締め付けられ回転不能となり、回転軸１を回転できなくする。このときに巻きバネ８の起立他端１０は、図８及び図９に示すように制御カム２０の回転不能ロック係止部２５と係合する位置にある。
【００１５】
上記の状態から回転軸１にその巻き戻し方向の僅かな力を付与すると、回転軸１には捩りバネの巻き戻し方向の力が付与されているから、巻きバネ８に緩む方向の力が付与され、その起立他端１０が制御カム２０の回転不能ロック係止部２５から正回転係止部２６に移動し起立他端１０がこの正回転係止部２６と係合し、まきバネ８の締め付け力が緩むことになる。この状態が図１、図２、図４及び図５に示される通りであり、回転軸１を正回転方向、即ち吊下げカーテンを下げる方向に自由に回転することができる。
そこで、吊下げカーテンの引き下げ方向である回転軸１の正回転方向回転を止めると、巻きバネ８の僅かな緩みによる抵抗と巻き戻しのための捩りバネの逆回転力とが均衡し、吊下げカーテンは停止状態を維持する。
【００１６】
次いで、上記停止している回転軸１に僅かな巻き戻し方向の力を与えると、巻きバネ８の起立他端１０が正回転係止部２６から逆回転係止部２４に移動して係止し、巻きバネ８を充分緩めた状態に維持する（図６及び図７図示）。従って、吊下げカーテンは回転軸１の巻き戻し方向捩りバネにより逆回転し、吊下げカーテンは巻き上げられる。そして、充分巻き上げられた位置で起立他端１０は巻きバネ８の巻き付け力により逆回転係止部２４から回転不能ロック係止部２５位置に移動し、係合することになる。
【００１７】
上記実施例の説明では、本発明回転駆動装置を吊下げカーテンの巻取り軸に利用した例を説明したが、開方向の回動力を付与している上開き窓のヒンジ軸、開閉扉のヒンジ軸あるいはパソコン等電子機器類の開閉蓋のヒンジ軸にも使用できる。
【００１８】
【発明の効果】
本発明回転駆動装置は、回転軸を一体的に回転するように外ケース内に軸装したクラッチパイプに大径部と小径部を設け、この小径部に上記大径部の径と同径となるボスを回動自在に軸装し、このボスを外ケース内に僅かな角度範囲内で回動可能にしておき、このボスとクラッチパイプの外周に巻きバネを巻き付け、その一端をボスに係止し、他端をフリーにして折り曲げ起立させる一方、外ケース内に制御カムを回転軸の軸方向に変位可能に設け、この制御カムに上記巻きバネの起立他端と係止して回転軸の正回転及び逆回転並びに回転不能ロック状態とする各係止部を設け、この制御カムの正回転係止部と巻きバネの起立他端との係合位置で巻きバネを緩めて回転軸を正回転可能とし、同じく制御カムの逆回転係止部と巻きバネの起立他端との係合位置で巻きバネを緩めて回転軸を逆回転可能とし、さらに制御カムの回転不能ロック係止部と巻きバネの起立他端との係合位置で巻きバネを締め付け、回転軸を回転不能ロック状態にするようにしてあるから、回転軸の正回転、逆回転及び任意の位置での停止を自由に行い得る。従って共通した構造によって、即ち、共通した部品等によって回転駆動装置を製造でき、しかも種々の用途に共通して使用でき、コストを低下できる効果がある。
【図面の簡単な説明】
【図１】本発明回転駆動装置の断面正面図で、回転軸の正回転状態位置を示してある。
【図２】図１状態位置における巻きバネの起立他端と制御カムの位置関係を示す要部の一部断面平面図である。
【図３】制御カムの底面図である。
【図４】図１図上Ａ−Ａ線に沿う断面側面図である。
【図５】同じく図１図上Ｂ−Ｂ線に沿う断面側面図である。
【図６】本発明回転駆動装置の制御カム位置における要部の断面正面図で、回転軸の逆回転状態位置を示してある。
【図７】図６状態位置における巻きバネの起立他端と制御カムの位置関係を示す要部の一部断面平面図である。
【図８】本発明回転駆動装置の制御カム位置における要部の断面正面図で、回転軸の回転不能ロック状態位置を示してある。
【図９】図８状態位置における巻きバネの起立他端と制御カムの位置関係を示す要部の一部断面平面図である。
【図１０】本発明回転駆動装置の分解斜視図である。
【符号の説明】
１  回転軸
２  スプリングクラッチ
３  クラッチパイプ
４  中心嵌合孔
５  大径部
６  小径部
７  ボス
８  巻きバネ
９  一端
１０  起立他端
１１  段差大径部
１２  係止部
１３  段差大径部
１４  コントロールリング
１５  コントロール突起
１６  カラー
１７  外ケース
１８  移動許容部
１９  ストッパー
２０  制御カム
２１  ガイド
２２  概略平行四辺形形状凹部
２３  通過透孔
２４  逆回転係止部
２５  回転不能ロック係止部
２６  正回転係止部
２７  鉤型係止部
２８  ネジ
２９  受け孔
３０  受け孔
【図１】
0004164258.tif 000002
【図２】
0004164258.tif 000003
【図３】
0004164258.tif 000004
【図４】
0004164258.tif 000005
【図５】
0004164258.tif 000006
【図６】
0004164258.tif 000007
【図７】
0004164258.tif 000008
【図８】
0004164258.tif 000009
【図９】
0004164258.tif 000010
【図１０】
0004164258.tif 000011